(57)【要約】【課題】蓋部については、蓋面片を閉じ易く、物を一旦中に入れて閉じた後は蓋面片が外れ難いことである。また、中の確認等のためには開け易いことである。更に、中に物を一杯詰めることができる。底部については、型崩れ易かったり、中に入れた物の重みで底抜けする等の不具合を確実に無くすことである。しかも、段ボールを組立てる際、その姿勢を保持するにあたり、留め金具のワイヤを使用しない段ボールケースを提供することにある。【解決手段】１枚の段ボールから箱状に折上げられるものであって、蓋部と底部を上下面に折り曲げ一体連接した周壁とからなる。そして蓋部は蓋面片が一体連接し、相互に蓋部を形成している。更に、嵌合片を嵌合用切欠に嵌め込まして、舌片により嵌合片を押し上げることにより蓋部を閉じる。底部は底面片が一体連接し、相互に関連係合して、折り込み底部を形成する。更に、嵌合片の掛止孔に他の嵌合片を嵌め込まして底部を閉じる。【選択図】      図３
2004175427.tif 000002
【特許請求の範囲】
【請求項１】
１枚の段ボールから、箱状に折り上げられるものであって、蓋部１０と底部３０を上下面に折り曲げ一体連接した周壁部２０とからなり、底部３０は底面片３１〜３４が一体連接し、相互に関連係合して折り込み底部を形成し、嵌合片３５、３６を嵌合用切欠３８に嵌め込ますとともに、嵌合片３６に掛止孔５１と嵌合片３７に掛止孔５２を備え、しかも、該掛止孔の開口は糊代片２５側に向き、さらに、嵌合片３５と嵌合片３７とを係合させ、嵌合片３５と嵌合片３６とを係合させることにより底部を閉じる段ボールケース。
【請求項２】
上記蓋部には、蓋面片１１および１３の両側先端部に嵌合片１５と、嵌合片１５に指孔切欠５７を備え、さらに、蓋面片１２および１４の両側に嵌合用切欠５８と舌片５９を備え、嵌合片１５を嵌合用切欠５８に嵌め込ますとともに、舌片５９により嵌合片１５を押し上げて蓋部を閉じることを特徴とする請求項１記載の段ボールケース。
【請求項３】
上記蓋部には、蓋面片１２および１４の両先端部に嵌合片１５と、嵌合片１５に掛止角６５を備え、さらに、蓋面片１１および１３の両側に嵌合用切欠５８と舌片５９と掛止片６６を備え、嵌合片１５を嵌合用切欠５８に嵌め込ますとともに、舌片５９により嵌合片１５を押し上げて蓋部を閉じることを特徴とする請求項１記載の段ボールケース。
【請求項４】
上記蓋部には、蓋面片１２および１４に嵌合片１６と、該蓋面片の両先端部に嵌合片１５を備え、蓋面片１１および１３の両先端部に嵌合片１７を備え、更に、該蓋面片に嵌合用切欠１８および嵌合用切欠１９を備え、該嵌合用切欠を介して、嵌合片１６を該蓋面片と嵌合片１７とで挟むように嵌め込まして蓋部を閉じることを特徴とする請求項１記載の段ボールケース。
【発明の詳細な説明】
【０００１】
【発明の属する技術分野】
本発明は、一枚の段ボールから箱状に折り上げ形成する段ボールケースである。蓋部は、閉じ易く、一旦物を中に入れた後は、蓋が簡単に外れることが無く、一方、中の確認等のためには開け易さを提供する。底部については、型崩れや中に入れた物が重みで底が抜けたりする等の不具合を確実に無くすことができる構成を提供するものである。また、大根等重量のある青果物を中に一杯詰めることができる。しかも、段ボールを折り上げる際、その姿勢を保持するにあたり、留め金具のワイヤを使用しない段ボールケースに関する。
【０００２】
【従来の技術】
段ボールを折り上げる際、その姿勢を保持するにあたり、留め金具のワイヤを使用することが多い。一方、ワイヤを使用しない従来の段ボールケースは次のような構成である。１枚の段ボールから箱状に折り上げられ、蓋部と底部を上下面に折り曲げ一体連接した周壁部とからなる。蓋部は蓋面片が一体連接している。そして、底部は底面片が一体連接して相互に関連係合して、折り込み底部を形成している。以下、図１、図２について説明する。図１は段ボールケース蓋部の折り上げ途中の状態を示す斜視図である。蓋部１０は蓋面片１１〜１４が一体連接し、更に嵌合片１５を嵌合用切欠５８に嵌め込まして蓋面片を閉じている。なお、この嵌合用切欠の孔は蓋面片１４の強度上、できるだけ小さくする必要がある。ここで、中に青果物等が一杯詰まっている場合、嵌合片１５の先端が物に当たり、嵌合片を挿嵌し難かった。また、物を一旦中に入れた後、嵌合片１５が嵌合用切欠５８から簡単に外れ易く、一方、中の確認等のためには嵌合用切欠の孔が小さいので、指が入らず蓋面片を開け難かった。次に、図２に、底部を下面図で示す。底部は底面片３１〜３４が一体連接し、相互に関連係合して、折り込み底部３０を形成している。更に先端部が鳩尾状に拡がった嵌合片３５と嵌合片３６を嵌合用切欠３８に嵌め込まして底部を形成している。ここで、嵌合片３５の根元の角Ｐと嵌合用切欠３８の角Ｑとは相互に食い込み合っているが、嵌合片の角Ｐと嵌合用切欠の角Ｑとの食い込み度合いは浅い。そのため、外部から加わる偶発的な力により、嵌合片３５、３６が嵌合用切欠３８から外れ、底部が型崩れするという難点があった。
【０００３】
【発明が解決しようとする課題】
以上、上記従来の段ボールケースには幾つかの問題点があった。蓋部については、嵌合片が中の物に当たるので、蓋面片を閉じ難かった。また、蓋面片が簡単に外れ易かった。一方、一旦蓋面片を閉じてしまうと、蓋面片を開け難かった。底部は、組みあがった段ボールケースをハンドリングする際、嵌合片の角と嵌合用切欠の角との食い込み度合いが浅いため、外部から力が加わることにより底部が型崩れするという難点があった。
【０００４】
そこで、本発明の目的は、蓋部については、中に青果物等が一杯詰まっていても、蓋面片を閉じ易いことである。そして、物を一旦中に入れて閉じたら蓋面片が外れ難く、一方、中の確認等のためには開け易いことである。底部については、型崩れ易い等の不具合を確実に無くすことである。しかも、段ボールを折り上げる際、その姿勢を保持するにあたり、留め金具のワイヤを使用しない段ボールケースを提供することにある。
【０００５】
そして、本発明の付随する目的は、一ケース約１０〜１５Ｋｇｆの重さの大根等青果が入っている段ボールケースを段積みした際、横から引き抜き易い構造にすることである。
【０００６】
【課題を解決するための手段】
本発明による段ボールケースは、１枚の段ボールから箱状に折り上げられるものであって、蓋部と底部を上下面に折り曲げ一体連接した周壁部とからなる。蓋部は蓋面片が一体連接し、相互に蓋部を形成している。更に、嵌合片を嵌合用切欠に嵌め込ますとともに、蓋面片には舌片を備え、段ボールケースの内側から上記嵌合片を押し上げている。底部は底面片が一体連接し、相互に関連係合して、嵌合片を嵌合用切欠に嵌め込ますとともに、折り込み底部の凹みを形成している。また、嵌合片には掛止孔および掛止角を備えている。
【０００７】
【発明の実施の形態】
以下に、本発明の実施例について、順次説明する。先ず、第１実施例に就いて、図３〜図８を参照しながら説明する。図３は段ボールケースを一枚の段ボールに展開した状態の平面図である。蓋部の折り上げ途中の状態を図７に、同じく底部の閉じ終えた凹み状態を図８に、それぞれ斜視図で示した。
【０００８】図３を説明する。蓋部１０は蓋面片１１〜１４からなる。蓋面片１１、１３の各両先端部に嵌合片１５を、この嵌合片の先端部には指孔切欠５７を備えている。蓋面片１２、１４の各両側に嵌合用切欠５８と舌片５９を備え、この舌片は折線５５で折れ曲がる。周壁部は周壁面２１〜２４からなる。周壁面２１には糊代片２５を備えている。また、底部は底面片３１〜３４からなる。底面片３１の両先端部には嵌合片３５を、この嵌合片にはそれぞれ掛止角５３、５４を備えている。底面片３３には嵌合片３６、３７と嵌合用切欠３８を、また、嵌合片３６に掛止孔５１を嵌合片３７には掛止孔５２を備えている。底面片３２、３４には嵌合片３９を備えている。
【０００９】図４は蓋部の折り上げ途中の状態を示す。蓋面片１１に嵌合片１５を備え、この嵌合片は折線５６で折れ曲がる。蓋面片１４には嵌合用切欠５８と舌片５９を備え、この舌片は折線５５で折れ曲がる。嵌合片１５は嵌合用切欠５８に挿入、嵌め込まされる。同時にこの嵌合片の両先端は段ボールの折り曲げ復元力により、段ボール蓋面片１４の内側で嵌合用切欠５８の孔の両側に開く。また、舌片５９は段ボールケースの内側から嵌合片１５を押し上げる。図５はそれらの関係を示す一部断面図である。嵌合片１５に対し、舌片５９の折線５５を梃子の支点として段ボールの折り曲げ復元力Ｂが作用する。以上、一組の嵌め込みによる蓋面片を閉じる状態を図示、説明したが、蓋部他の３組の嵌め込みについても同様である。
【００１０】図６は底部を閉じ終えた状態を示す下面図である。底面片３１〜３４が一体連接し、相互に関連係合して、折り込み底部３０の凹みを形成している。更に、先端が鳩尾状に拡がった嵌合片３５および嵌合片３６を切欠３８に嵌め込まして底部を閉じている。この時、掛止孔５１および５２は、それぞれ掛止角５４および５３と相互に食い込み合っている。このため、嵌合片３５と嵌合片３６とが係合し、また、嵌合片３５と嵌合片３７とが係合し合って底部を形成している。上記の掛止孔の開口は糊代片２５側に向いている。折り上がった段ボールケースには段ボールの折癖による偶力Ｆが作用する。
【００１１】最後に、第実施例１の底部を折り上げる手順について、図３、図６を参照しながら説明する。先ず、底面片３３を外から段ボールケースの内側へ押し下げる。次に、底面片３２および３４を内側へ押し下げ、嵌合片３９を切欠３８に嵌め込ます。最後に、底面片３１を内側へ押し下げ、嵌合片３５を切欠３８に嵌め込ます。以上により、底面片３１〜３４が一体連接し、相互に関連係合して、折り込み底部３０の凹みが形成される。
【００１２】以上、第１実施例は嵌合片を嵌合用切欠けに嵌め込むことによって段ボールを折り上げる方式である。その際、姿勢を保持するにあたり、留め金具のワイヤを使用しなくて済む。この場合、金具等異物の混入の恐れが無いので、リサイクルに好都合である。また、底面片が一体連接し、相互に関連係合して、折り込み底部を形成しているとともに、嵌合片の先端が鳩尾状に拡がり嵌め合っているので、段ボールケースの中の物が大根等の重量物であっても、底抜けすることが無く安心である。更に、先端が鳩尾状に拡がった嵌合片に備えた掛止孔５１、５２が、それぞれ掛止角５４、５３と係合し合っている。このため、嵌合片と嵌合用切欠との食い込み度合いが深くなるので、組みあがった段ボールケースをハンドリングする際に、外部から偶発的な力および偶力が重なって大きな外力となって発生しても、嵌合片が嵌合用切欠から外れることが無い。付随的な効果として、この折り込み底部は凹みを形成しているので、一ケース当り約１０〜１５Ｋｇｆの重さの大根等青果が入っている段ボールケースを多段積みした際、途中の段から横抜き易い。また、蓋部では、蓋面片を閉じたり、開けたりする際に効果がある。閉じ易く、また、物を一旦中に入れた後でも、蓋面片が外れ難いものである。蓋を閉じる際は、嵌合片１５が折れ線５６で折れ曲がるので、嵌合片を嵌合用切欠に挿入し易く、蓋面片を閉じるのが容易である。また、嵌合片１５の両先端は段ボールケースの内側で嵌合用切欠５８の孔の両側へ開くので、一度挿入した蓋面片は外れ難い。更に、舌片５９には折線５５を梃子の支点として段ボールの折り曲げによる復元力がばね力として発生し、舌片が嵌合片を段ボールケースの内側から押すので、嵌合片が外れ難い。また、嵌合片に指孔切欠５７を備えたので、嵌合用切欠５８の孔が小さくても指が入り易く、中の確認等のために蓋面片を開けるのが楽である。もともと、嵌合用切欠の孔の大きさは蓋面片の強度上小さくする必要がある。指孔切欠を備えることにより、嵌合用切欠の孔は小さくても、指の入るスペースを確保し、改善できたのである。
【００１３】次に、第２実施例について、図９〜図１１を参照しながら説明する。図９は段ボールケースを一枚の段ボールに展開した状態の平面図である。その蓋部の折り上げ途中の状態を示す斜視図で図１０に示した。
【００１４】図９を説明する。この第２実施例の底部は第一実施例と同じで、蓋部が異なる。第１実施例と比べての相違点は、蓋面において、嵌合片を嵌合用切欠に挿嵌する方法である。蓋部１０は蓋面片１１〜１４からなる。蓋面片１１、１３の各両側に舌片５９を備え、これら舌片は折れ線６７で折れ、嵌合用切欠５８を形成している。蓋面片１２、１４の各両先端部に嵌合片１５を備え、これらの嵌合片は掛止角６５と、嵌合用切欠５８には掛止片６６を備えている。周壁部は周壁面２１〜２４らなる。周壁面２１には糊代片２５を備えている。また、底部は底面片３１〜３４からなる。底面片３１の両先端部には嵌合片３５を、この嵌合片には掛止角５３、５４を備えている。嵌合片３３には嵌合片３６、３７と嵌合用切欠３８を、これらの嵌合片には掛止孔５１、５２を備えている。また、底面片３２、３４には嵌合片３９を備えている。
【００１５】図１０は蓋部の折り上げ途中の状態を示す。蓋面片１２、１４の各両端に嵌合片１５を備え、折線６１で折れ曲がる。この点は第１実施例と比べて相違する。蓋面片１１、１３の各両側には嵌合用切欠５８と舌片５９を備え、これら舌片は折線６７で折れ曲がる。ここで、嵌合用切欠５８の孔は嵌合片１５を挿嵌する方向に円弧状に形成されている。嵌合片１５は嵌合用切欠５８に挿嵌されるとともに、この嵌合片の掛止角６５が掛止片６６に係合され、更に、嵌合片１５は掛止片６８に係合される。また、舌片５９は段ボールケースの中から嵌合片１５を押し上げる。図１１はそれら関係を示すもので、図１０のＣ−Ｃ矢視断面図である。嵌合片１５に対し、舌片５９により折線６７を梃子の支点として段ボールの折り曲げによる復元力Ｄが作用する。ここで、嵌合片１５を嵌合用切欠５８の中に挿嵌した時、舌片５９の先端部Ｈは嵌合片１５の先端部Ｇより出っ張っていることが重要である。この点も第１実施例と比べて相違する。以上、一組の嵌合による蓋面片の閉じ方について図示、説明したが、蓋部の他の３組の嵌め込みについても同様である。
【００１６】以上のとおり、第２実施例では、蓋面片１４は折れ線６１で折れ曲がるので、嵌合片１５を嵌合用切欠５８に挿入し易い。また、青果物が中に一杯詰まっていても、舌片５９の先端が嵌合片１５の先端より出っ張っているため、嵌合片１５の先端が直接青果物にぶつかることが無く、挿入し易い。以上、蓋面片を閉じ易い。また、嵌合片１５の掛止角６５は段ボールケースの内側で掛止片６６に係合されるので、蓋面片は外れ難い。更に、舌片５９が折線６７を梃子の支点として段ボールの折り曲げによる復元力がばね力として働くので、嵌合片１５を段ボールケースの内側から押すことになって嵌合片が外れ難い。以上、蓋面片が外れ難い。第１実施例と比較して相違する点をまとめると、以下の通りである。蓋面片１２、１４の各両端に嵌合片１５を備え、折線６１で折れ曲がるので嵌合片を嵌合用切欠の中に挿嵌し易い。また、嵌合片を嵌合用切欠の中に挿嵌した時、舌片の先端部はこの嵌合片の先端部より出っ張っている。このため、ダンボールケースの中に青果物等が一杯詰まっていても、嵌合片の先端が中の物に直接ぶつかることが無いので、嵌合片１５を挿嵌し易い。以上、蓋面片を閉じ易い。また、嵌合片の先端で青果物等生物を傷つけることが無い。
【００１７】次に、第３実施例について、図１２〜図１４を参照しながら説明する。図１２は段ボールケースを一枚の段ボールに展開した状態の平面図である。その蓋部の折り上げ途中の状態を図１３に、蓋部を閉じ終えた状態を図１４に示した。
【００１８】図１２を説明する。この第３実施例の底部も第１、２実施例と同じで、蓋部が異なる。第１、第２実施例と比べての相違点は、蓋面において、嵌合片と蓋面片との挿嵌および蓋面片を閉じる方法で、主たる嵌合片を蓋面片の外側に出すことにある。蓋部１０は蓋面片１１〜１４からなる。蓋面片１１、１３の各両端に嵌合片１７を備えている。蓋面片１２、１４の各両端に嵌合片１５を備え、更に、この嵌合片の間に主たる嵌合片１６を備えている。また、蓋面片１２、１４の両側に嵌合用切欠１８を、蓋面片１１、１３の両側に嵌合用切欠１９を備えている。一方、底部は底面片３１〜３４からなる。底面片３１の両先端部には嵌合片３５を、この嵌合片には掛止角５３、５４を備えている。嵌合片３３には嵌合片３６、３７と嵌合用切欠３８を、これらの嵌合片には掛止孔５１、５２を備えている。また、底面片３２、３４には嵌合片３９を備えている。
【００１９】図１３は蓋部の折り上げ途中の状態を示す斜視図である。図１４は蓋部を閉じ終えた状態を示す斜視図である。これらの図を参照しながら説明する。蓋面片１２、１４の各両端に嵌合片１５とこれらの間に主たる嵌合片１６を備え、嵌合片１５は折れ線５６で折れ曲がる。また、蓋面片１１、１３の各両端に嵌合片１７を備えている。ここで、嵌合片１５は折れ線５６で折れ曲がって、蓋面片１１の内側に挿入される。この時、蓋面片１１は嵌合用切欠１８に嵌め込まれる。主たる嵌合片１６は嵌合用切欠１９に嵌め込まれ蓋面片１１の外側に重なる。更に、嵌合片１６の外側に嵌合片１７が重なる。即ち、蓋面片１１を嵌合片１５と嵌合片１６とで挟み、更に、嵌合片１６を蓋面片１１と嵌合片１７とで挟み合う構成をなしている。段ボールケースの内側から外側に向けて、嵌合片１５、蓋面片１１、嵌合片１６および嵌合片１７の順序で重なり合った嵌め合い構造である。以上、蓋部を閉じ終えると図１４に示すように、主たる嵌合片１６が外側へ盛り上がっている。以上、一組の嵌合による蓋面片の閉じ方について図示、説明したが、蓋部の他の３組の嵌め込みについても同様である。
【００２０】最後に、蓋部を折り上げる手順について、図１３、図１４を参照しながら説明する。先ず、嵌合片１５を蓋面片１１の内側に挿入する。嵌合片１５は折れ線５６で折れ曲がるので挿入は容易である。次に、嵌合片１６を蓋面片１１の外側に嵌め込ますとともに、嵌合片１７を嵌合片１６の外側に嵌め込ます。蓋部の他の３組の折り上げについても同様である。
【００２１】以上、第３実施例では以下の通り、第１、２実施例と比較して相違する。主たる嵌合片がダンボールケースの外側に出るため、ダンボールケースの中に青果物等が一杯詰まっていても、この嵌合片の先端が中の物に直接ぶつかることが無く、蓋片を閉じ易い。逆に、この嵌合片が蓋面片の外側に出るので、蓋面片が外側へ盛り上がりを形成し、青果物等を一杯詰めることができる。また、嵌合片の先端で青果物等生物を傷めることが無い。
【発明の効果】
以上の説明によって明らかなように、本発明によるワイヤーレス段ボールケースは、従来のものに比べて以下に列挙したような優れた効果がある。
（１）嵌合片を嵌合用切欠けに嵌め込むことによって段ボールを閉じる方式なので、段ボールを折り上げる際、その姿勢を保持するにあたり、留め金具のワイヤを使用しなくて済む。この場合、金具等異物の混入の恐れが無いので、リサイクルに好都合である。
（２）底面片が一体連接し、相互に関連係合して、折り込み底部を形成していることおよび嵌合片の先端が鳩尾状に拡がり嵌め合っている。このため、中の物が大根等の重量物であっても、底抜けすることが無く安心である。更に、先端が鳩尾状に拡がった嵌合片を嵌合用切欠に嵌め込まして底部を閉じるとともに、掛止孔が掛止角と係合し合っている。嵌合片と嵌合用切欠との食い込み度合いが深いので、折り上がった段ボールケースをハンドリングする際に、底部に外部から偶発的な力および偶力が重なって大きな外力が発生しても、嵌合片が切欠から外れることが無い。
（３）蓋面片を閉じたり、開けたりする際に効果がある。閉じ易く、また、物を一旦中に入れた後、蓋面片が外れ難いものである。蓋を閉じる際は、嵌合片が折れ線で折れ曲がるので、嵌合片を嵌合用切欠に挿入し易く、蓋面片を閉じるのが容易である。また、嵌合片の両先端は段ボールケースの内側で嵌合用切欠の孔の両側へ開くので、一度挿入した蓋面片は外れ難い。更に、舌片には折線を梃子の支点として段ボールの折り曲げによる復元力がばね力として発生し、舌片が嵌合片を段ボールケースの内側から押すので、嵌合片が外れ難い。
（４）嵌合片に指孔切欠片を備えたので、嵌合用切欠の孔が小さくても指が入り易く、中の確認等のためには開けるのが楽である。もともと、嵌合用切欠の孔の大きさは蓋面片の強度上小さくする必要がある。指孔切欠を備えることにより、指の入るスペースを確保し、改善できた。
（５）嵌合片を嵌合用切欠の中に挿嵌した時、舌片の長さはこの嵌合片の先端部の出っ張りより長い。このため、ダンボールケースの中に青果物等が一杯詰まっていても、嵌合片の先端が中の物に直接ぶつかることが無く、蓋片を閉じ易い。嵌合片の先端で青果物等生物を傷つけることが無い。
（６）嵌合片が蓋面片の外側に出るので、蓋部が盛り上がりを形成し、青果物等を一杯詰めることができる。
（７）付随的な効果として、この折り込み底部は凹みを形成しているので、一ケース当り約１０〜１５Ｋｇｆの重さの大根等青果が入っている段ボールケースを多段積みした際、途中の段から横抜きし易い。
【図面の簡単な説明】
【図１】従来の例を示すもので、段ボールケース蓋部の折り上げ途中の状態をを示す斜視図である。
【図２】同上、底部を閉じ終えた状態を示す下面図である。
【図３】本発明の第１実施例を示すもので、段ボールケースを一枚の段ボールに展開した状態の平面図である。
【図４】同上、蓋部の折り上げ途中の状態を示す斜視図である。
【図５】同上、図４のＡ−Ａ矢視断面図ある。
【図６】同上、底部を閉じ終えた状態を示す下面図である。
【図７】同上、蓋部の折り上げ途中の状態を示す斜視図である。
【図８】同上、底部を閉じ終えた凹み状態を示す斜視図である。
【図９】本発明の第２実施例を示すもので、段ボールケースを一枚の段ボールに展開した状態の平面図である。
【図１０】同上、蓋部の折り上げ途中の状態を示す斜視図である。
【図１１】同上、図１０のＣ−Ｃ矢視断面図である。
【図１２】本発明の第３実施例を示すもので、段ボールケースを一枚の段ボールに展開した状態の平面図である。
【図１３】同上、蓋部の折り上げ途中の状態を示す斜視図である。
【図１４】同上、蓋部を閉じ終えた状態を示す斜視図である。
【符号の説明】
１０  蓋部
１１〜１４  蓋面片
１５  嵌合片
１６  嵌合片
１７  嵌合片
１８  嵌合用切欠
１９  嵌合用切欠
２０  周壁部
２１〜２４  周壁面片
２５  糊代片
３０  底部
３１〜３４  底面片
３５〜３７  嵌合片
３８  嵌合用切欠
３９  嵌合片
５１、５２  掛止孔
５３、５４  掛止角
５５  折線
５６  折線
５７  指孔切欠
５８  嵌合用切欠
５９  舌片
６１  折線
６５  掛止角
６６  掛止片
６７  折線
６８  掛止片
Ｂ、Ｄ  復元力
Ｆ  偶力
Ｇ、Ｈ  先端部
Ｐ、Ｑ  角
【図１】
2004175427.tif 000003
【図２】
2004175427.tif 000004
【図３】
2004175427.tif 000005
【図４】
2004175427.tif 000006
【図５】
2004175427.tif 000007
【図６】
2004175427.tif 000008
【図７】
2004175427.tif 000009
【図８】
2004175427.tif 000010
【図９】
2004175427.tif 000011
【図１０】
2004175427.tif 000012
【図１１】
2004175427.tif 000013
【図１２】
2004175427.tif 000014
【図１３】
2004175427.tif 000015
【図１４】
2004175427.tif 000016